【手続補正書】
【提出日】平成17年3月2日(2005.3.2)
【手続補正１】
【補正対象書類名】明細書
【補正対象項目名】００３３
【補正方法】変更
【補正の内容】
【００３３】
本例においては、ＯＦＤＭ変調信号の受信処理を行う無線通信装置に適用したものである。まず、このＯＦＤＭ変調信号の送信側の構成を図４を参照して説明する。ここでは、サブキャリア数が９６本で、サブキャリア間隔を４．１６６６［ｋＨｚ］としたＯＦＤＭ信号に変調する場合の例である。入力端子１１１に得られる送信シンボル（ここでは１単位が９６シンボル）のデータを、シリアル／パラレル変換回路１０２に供給し、９６ポイントのパラレルデータに変換した後、ゼロ挿入回路１０３に供給し、３２ポイントの０データを付加して、１２８ポイントのパラレルデータとし、この１２８ポイントのパラレルデータをポイント数１２８の逆フーリエ変換回路（ＩＦＦＴ回路）１０４に供給し、逆高速フーリエ変換による演算処理で、時間軸を周波数軸に変換する変換処理を行う。ここで、ゼロ挿入回路１０３で３２ポイントの０データを付加する処理は、ポイント数を２の巾乗の値（ここでは１２８）として、逆フーリエ変換処理回路の構成を簡単にするためである。
【手続補正２】
【補正対象書類名】明細書
【補正対象項目名】００３７
【補正方法】変更
【補正の内容】
【００３７】
そして、変換されたデータを受信用窓がけデータ乗算回路１１５に供給し、受信用の窓がけデータを乗算する。この受信用の窓がけデータは、例えば図５に示すように、１２８ポイントのデータを選択する時間Ｌ（ここでは２４０［μｓ］）を設定する。受信用の窓がけデータが乗算された受信データは、シリアル／パラレル変換回路１１６に供給して、所定単位毎にパラレルデータに変換し、その変換出力をフーリエ変換回路（ＦＦＴ回路）１１７に供給し、高速フーリエ変換による演算処理で、周波数軸を時間軸に変換する変換処理を行う。変換されたパラレルデータは、デマルチプレクサ１１８に供給して、所定ポイントのデータを選択し、その選択されたデータをパラレル／シリアル変換回路１１９に供給してシリアルデータに変換し、そのシリアルデータを出力端子１２０に供給する。
【手続補正３】
【補正対象書類名】明細書
【補正対象項目名】００３９
【補正方法】変更
【補正の内容】
【００３９】
そして、このサイクルプリフィックス抽出回路１２の出力を、シリアル／パラレル変換回路１３に供給してパラレルデータに変換し、そのパラレルデータをフーリエ変換回路（ＦＦＴ回路）１４に供給し、高速フーリエ変換による演算処理で、周波数軸を時間軸に変換する変換処理を行う。シリアル／パラレル変換回路１３で変換するポイント数及びＦＦＴ回路１４で変換処理を行うポイント数は、サイクルプリフィックス成分の繰り返し距離に相当するポイント数よりも十分大きな範囲のポイント数に選定する。例えば、ＦＦＴ回路１４で変換処理を行うポイント数をＮとし、サイクルプリフィックス成分の繰り返し距離に相当するポイント数をＭとしたとき、本例では繰り返し距離Ｍ＝１２８ポイントであり、変換処理ポイント数Ｎを、その４倍の値、即ち変換処理ポイント数Ｎ＝Ｍ×４＝１２８×４＝５１２とする。
【手続補正４】
【補正対象書類名】明細書
【補正対象項目名】００４０
【補正方法】変更
【補正の内容】
【００４０】
ＦＦＴ回路１４で変換されたパラレルデータは、パラレル／シリアル変換回路１５に供給してシリアルデータに変換し、そのシリアルデータを絶対値二乗回路１６に供給し、シリアルデータの絶対値を二乗した値とする。絶対値二乗回路１６で二乗した値は、乗算器１７に供給し、乗算係数発生回路１８が出力する乗算係数Ｒｏｔ（ｋＭ／Ｎ）を乗算する。この乗算器１７で係数が乗算された値は、平均化回路１９に供給し、１つのサイクルプリフィックス成分の期間Ｔｇ（ここでは４０［μｓ］）の平均化を行い、その平均化された値（複素数）を位相検出回路２０に供給する。位相検出回路２０では、平均値の位相値を検出し、その検出データを端子２１から出力する。この端子２１に得られる位相検出値は、受信したＯＦＤＭ変調信号の周波数オフセット量に比例した値となり、位相検出値から周波数オフセット量を判断できる。
【手続補正５】
【補正対象書類名】明細書
【補正対象項目名】００６５
【補正方法】変更
【補正の内容】
【００６５】
そして、このウェーブフォームスライド回路４３の出力を、シリアル／パラレル変換回路４４に供給してパラレルデータに変換し、そのパラレルデータをフーリエ変換回路（ＦＦＴ回路）４５に供給し、高速フーリエ変換による演算処理で、周波数軸を時間軸に変換する変換処理を行う。シリアル／パラレル変換回路４４で変換するポイント数及びＦＦＴ回路４５で変換処理を行うポイント数は、ウェーブフォームスライド回路４３が出力するサイクルプリフィックス成分の繰り返し距離に相当するポイント数よりも十分大きな範囲のポイント数に選定する。例えば、ＦＦＴ回路４５で変換処理を行うポイント数をＮとし、サイクルプリフィックス成分の繰り返し距離に相当するポイント数をＭとしたとき、本例では繰り返し距離Ｍを３２ポイントとしてあり、変換処理ポイント数Ｎを、その４倍の値、即ち変換処理ポイント数Ｎ＝Ｍ×４＝３２×４＝１２８とする。
【手続補正６】
【補正対象書類名】明細書
【補正対象項目名】００６６
【補正方法】変更
【補正の内容】
【００６６】
ＦＦＴ回路４５で変換されたパラレルデータは、パラレル／シリアル変換回路４６に供給してシリアルデータに変換し、そのシリアルデータを絶対値二乗回路４７に供給し、シリアルデータの絶対値を二乗した値とする。絶対値二乗回路４７で二乗した値は、乗算器４８に供給し、乗算係数発生回路４９が出力する乗算係数Ｒｏｔ（ｋＭ／Ｎ）（上述したようにＮがＭの４倍であるときＲｏｔ（ｋ／４））を乗算する。この乗算器４８で係数が乗算された値は、平均化回路５０に供給し、１つのサイクルプリフィックス成分の期間Ｔｇ（ここでは４０［μｓ］）の平均化を行い、その平均化された値（複素数）を位相検出回路５１に供給する。位相検出回路５１では、平均値の位相値を検出し、その検出データを端子５２から出力する。この端子５２に得られる位相検出値は、受信したＯＦＤＭ変調信号の周波数オフセット量に比例した値となり、位相検出値から周波数オフセット量を判断できる。
【手続補正７】
【補正対象書類名】明細書
【補正対象項目名】００７３
【補正方法】変更
【補正の内容】
【００７３】
そして、このサイクルプリフィックス抽出回路６２の出力を、シリアル／パラレル変換回路６３に供給してパラレルデータに変換し、そのパラレルデータをフーリエ変換回路（ＦＦＴ回路）６４に供給し、高速フーリエ変換による演算処理で、周波数軸を時間軸に変換する変換処理を行う。シリアル／パラレル変換回路６３で変換するポイント数及びＦＦＴ回路６４で変換処理を行うポイント数は、サイクルプリフィックス抽出回路６２が出力するサイクルプリフィックス成分の繰り返し距離に相当するポイント数よりも十分大きな範囲のポイント数に選定する。
【手続補正８】
【補正対象書類名】明細書
【補正対象項目名】００７４
【補正方法】変更
【補正の内容】
【００７４】
ＦＦＴ回路６４で変換されたパラレルデータは、パラレル／シリアル変換回路６５に供給してシリアルデータに変換し、そのシリアルデータを絶対値二乗回路６６に供給し、シリアルデータの絶対値を二乗した値とする。絶対値二乗回路６６で二乗した値は、乗算器６７に供給し、乗算係数発生回路６８が出力する乗算係数Ｒｏｔ（ｋＭ／Ｎ）を乗算する。